(57)【要約】【課題】本発明は、高所作業の低減が図れ、かつ解体廃棄物の分別が効率よく行え、さらに解体工期の大幅な短縮がなし得る煙突内筒解体装置を提供することを目的とする。【解決手段】本発明による煙突内筒解体装置は、内筒と外筒とにより構成される煙突の煙突内筒解体装置であって、前記内筒と外筒との間に形成された隙間に係止する複数の嵌入部材と、前記嵌入部材を下側に向け放射状に延出させて取り付けた装置本体と、前記複数の嵌入部材を煙突の中心軸方向に向かって進退可能に動かす揺動部材と、を有することを特徴とする。【選択図】        図１
2005016153.tif 000002
【特許請求の範囲】
【請求項１】
内筒と外筒とにより構成される煙突の煙突内筒解体装置であって、
前記内筒と外筒との間に係止する複数の嵌入部材と、
前記嵌入部材を下側に向け放射状に延出させて取り付けた装置本体と、
前記複数の嵌入部材を煙突の中心軸方向に向かって進退可能に動かす揺動部材と、を有することを特徴とする煙突内筒解体装置。
【請求項２】
内筒と外筒とにより構成される煙突の煙突内筒解体装置であって、
前記内筒と外筒との間に形成された隙間に係止すると共に、前記隙間奥へ差し入れ打撃の動作を付加した差し入れ打撃部を備えた複数の嵌入部材と、
前記嵌入部材を下側に向け放射状に延出して取り付けた装置本体と、
前記複数の嵌入部材を煙突の中心軸方向に向かって進退可能に揺動させる揺動部材と、を有することを特徴とする煙突内筒解体装置。
【請求項３】
内筒と外筒とにより構成される煙突の煙突内筒解体装置であって、
前記内筒と外筒との間に形成された隙間に係止する複数の嵌入部材と、
前記嵌入部材を下側に向け放射状に延出して取り付けた装置本体と、
前記複数の嵌入部材に沿って設けられ、前記内筒に対し破砕打撃を行う破砕打撃部材と、
前記複数の嵌入部材を煙突の中心軸方向に向かって進退可能に揺動させる揺動部材と、を有することを特徴とする煙突内筒解体装置。
【請求項４】
請求項１、請求項２または請求項３記載の煙突内筒解体装置において、
該煙突内筒解体装置を煙突内部で保持する保持部材を前記装置本体から放射状に延出させて設けたこと、を特徴とする煙突内筒解体装置。
【請求項５】
前記保持部材は煙突内筒の中心軸を回転軸として回転可能に構成されたことを特徴とする請求項１，請求項２，請求項３または請求項４記載の煙突内筒解体装置。
【請求項６】
前記複数の嵌入部材は煙突内筒の中心軸を回転軸として回転可能に構成されたことを特徴とする請求項１，請求項２，請求項３，請求項４または請求項５記載の煙突内筒解体装置。
【請求項７】
前記煙突内筒の内部に散水する散水ノズルが付加されたことを特徴とする請求項１，請求項２，請求項３，請求項４，請求項５または請求項６記載の煙突内筒解体装置。
【請求項８】
前記煙突内筒の内部を監視する監視カメラが設けられたことを特徴とする請求項１，請求項２，請求項３，請求項４，請求項５，請求項６または請求項７記載の煙突内筒解体装置。
【請求項９】
前記嵌入部材または保持部材は装置本体より複数本延出して設けられたことを特徴とする請求項１，請求項２，請求項３，請求項４，請求項５，請求項６，請求項７または請求項８記載の煙突内筒解体装置。
【発明の詳細な説明】
【０００１】
【発明の属する技術分野】
本発明は、例えば、廃棄物焼却施設等に設けられているレンガ製内筒とＲＣ製外筒を有する煙突の前記内筒を解体する煙突内筒解体装置に関するものである。
【０００２】
【従来の技術】
例えば、廃棄物焼却施設等に設けられているレンガ製内筒とＲＣ製外筒を有する煙突を解体する場合、従来では、前記の外筒と内筒を同時に解体する方法や、また内筒を先に解体する場合でも煙突内筒内に侵入し、人力によって解体する方法で行っていた。
【０００３】
すなわち、外筒と同時に内筒を解体する場合には、煙突の外側に枠組足場を設置し、人力のハンドブレーカー等により外筒を解体すると同時に、内筒を解体するものとしていた。  また、内筒を先に解体する場合には、煙突内筒の内部に足場を設置し、当該内部より人力にて内筒のみを解体していた。
【発明が解決しようとする課題】
しかしながら、従来の解体方法では以下のような課題があった。
（１）高所作業となり、煙突内部からの解体は内筒の倒壊の危険性がある。
（２）作業員は汚染された解体対象の間近で作業を行う必要があり、ダイオキシン類ばく露の危険性が高い。
（３）レンガとコンクリートを混合して廃棄物処分を行うと以後の分別作業等に非常にコストがかかり、かつ大変な作業手間となっていた。
【０００４】
かくして本発明は、前記従来の課題に鑑みて創案されたものであり、高所作業の低減が図れ、かつ解体廃棄物の分別が効率よく行え、さらに解体工期の大幅な短縮がなし得る煙突内筒解体装置を提供することを目的とするものである。
【課題を解決するための手段】
本発明による煙突内筒解体装置は、
内筒と外筒とにより構成される煙突の煙突内筒解体装置であって、
前記内筒と外筒との間に形成された隙間に係止する複数の嵌入部材と、
前記嵌入部材を下側に向け放射状に延出させて取り付けた装置本体と、
前記複数の嵌入部材を煙突の中心軸方向に向かって進退可能に動かす揺動部材と、を有することを特徴とし、
または、
内筒と外筒とにより構成される煙突の煙突内筒解体装置であって、
前記内筒と外筒との間に形成された隙間に係止すると共に、前記隙間奥へ差し入れ打撃の動作を付加した差し入れ打撃部を備えた複数の嵌入部材と、
前記嵌入部材を下側に向け放射状に延出して取り付けた装置本体と、
前記複数の嵌入部材を煙突の中心軸方向に向かって進退可能に揺動させる揺動部材と、を有することを特徴とし、
または、
内筒と外筒とにより構成される煙突の煙突内筒解体装置であって、
前記内筒と外筒との間に形成された隙間に係止する複数の嵌入部材と、
前記嵌入部材を下側に向け放射状に延出して取り付けた装置本体と、
前記複数の嵌入部材に沿って設けられ、前記内筒に対し破砕打撃を行う破砕打撃部材と、
前記複数の嵌入部材を煙突の中心軸方向に向かって進退可能に揺動させる揺動部材と、を有することを特徴とし、
または、
前記煙突内筒解体装置を煙突内部で保持する保持部材を前記装置本体から放射状に延出させて設けたこと、を特徴とし、
または、
前記保持部材は煙突内筒の中心軸を回転軸として回転可能に構成されたことを特徴とし、
または、
前記複数の嵌入部材は煙突内筒の中心軸を回転軸として回転可能に構成されたことを特徴とし、
または、
前記煙突内筒の内部に散水する散水ノズルが付加されたことを特徴とし、
または、
前記煙突内筒の内部を監視する監視カメラが設けられたことを特徴とし、
または、
前記嵌入部材または保持部材は装置本体より複数本延出して設けられたことを特徴とするものである。
【発明の実施の形態】
以下、本発明を図に示す実施の形態に基づいて説明する。
符号１は装置本体を示す。
【０００５】
該装置本体１は略円盤状の形状をなして構成されている。そして、図１から理解されるように上面盤２と下面盤３とが装置本体１の中心軸を回転軸として回転できるよう構成されている。符号４は上面盤２に取り付けられたモータを示し、該モータ４によりモータ側ギア２２と下面盤側ギア２３が噛み合い、前記上面盤２に対し下面盤３が回転しうるよう構成されている。
【０００６】
次に、符号５は嵌入部材を示す。
【０００７】
該嵌入部材５は図１等から理解されるように、前記装置本体１の下側に位置する下面盤３に装置本体中心軸を中心に放射状に延出する凸状の取付片６が突設されており、該取付片６に動作杆７を介して嵌入部材５が取り付けられる。
【０００８】
すなわち、該取付片６にはその長手方向に間隔をあけて一対の動作杆７の一端側が回動可能に取り付けられ、他端側は嵌入部材基部８の一端側に回動可能に取り付けられている。よって、前記嵌入部材５は装置本体１の中心軸を軸として外側に向かい放射状に回動できるよう構成されている。
【０００９】
また、前記した嵌入部材５にはいわゆる油圧ブレーカー等で構成された揺動部９が形成され、該揺動部９の先端には煙突１０の外筒１１と内筒１２との間に食い込み、また前記内筒１２を打撃して破砕する略くさび状をなす食い込み部１３が連結されている。
【００１０】
よって、前記揺動部９が嵌入部材５の軸方向に激しく揺動することにより、前記食い込み部１３が外筒１１と内筒１２との間に食い込むと共に、内筒１２をも打撃して破砕することが出来る。
【００１１】
また、図２から理解されるように、前記いわゆる油圧ブレーカー等で構成された揺動部９が嵌入部材５に沿って別部材で形成される場合もあり、この場合には、前記揺動部９の先端に設けられた破砕部１５が内筒１２を打撃して破砕するものとなる。
【００１２】
ところで、外筒１１と内筒１２との間に隙間がない場合には、前記食い込み部１３を揺動させて内筒１２に打撃を与えたり、前記破砕部１５を揺動させて内筒１２に打撃を与え、もって内筒１２を形成する耐火レンガを破砕、解体できる様に構成してある。
【００１３】
ここで、装置本体１の下面盤３の中心軸からは油圧シリンダ等で形成された伸縮杆１４が垂下して突設されており、該伸縮杆１４は垂直方向に向けて伸縮する構成となっている。
【００１４】
そして、前記伸縮杆１４と嵌入部材５とはリンク部材２０を介して連結されており、もって伸縮杆１４を伸ばしたときには、前記嵌入部材５を装置本体１の中心軸側に向かって絞まるよう揺動する構成とされている。
【００１５】
ところで、図３から理解されるように、図３では嵌入部材５が装置本体１の中心軸から放射状に３本突設されているが、この数については何ら限定されるものではなく、複数本であれば構わないものである。
【００１６】
また、前記したように下面盤３は回転するように構成されているので、複数本の嵌入部材５もこれに伴って回転する。従って、リング状に構成されている内筒１２を嵌入部材５が回転することにより満遍なく破砕することが出来るようになっている。
【００１７】
次に、符号１６は保持部材を示す。
【００１８】
装置本体１の上側に位置する上面盤２には装置本体中心軸を中心に放射状に延出する凸状の取付片６がやはり突設されており、該取付片６に前記保持部材１６が回動可能にして取り付けられている。また、先端には走行用のローラ１９が設けられている。
【００１９】
また、装置本体１の上面盤２の中心軸からは油圧シリンダ等で形成された伸縮杆１４が上方に向けて突設されており、該伸縮杆１４は垂直方向に向けて伸縮する構成となっている。
【００２０】
そして、前記伸縮杆１４と保持部材１６とはリンク部材２０を介して連結されており、もって伸縮杆１４を伸ばしたときには、前記保持部材１６を装置本体１の中心軸側に向かって絞まるよう構成され、伸縮杆１４を縮めたとき、装置本体１の外側に向かって広がるよう構成されている。
【００２１】
保持部材１６を外側に拡げることにより煙突１０の外筒１１外周面に前記ローラ１９が圧接し、これにより本装置が煙突１０内に係止する。
【００２２】
また、このローラ１９により本装置は煙突１０の内部上下方向にスムーズに移動可能となっている。
【００２３】
図４には本発明の他の実施例が示されており、本装置の上側に一対の散水ノズル１７，１７が設けられている。
【００２４】
また、符号１８は例えば照明を備えた監視カメラであり、前記一対の散水ノズル１７，１７で煙突１０内を散水して、視界を確保し、前記監視カメラ１８で煙突内の解体箇所を目視可能としてある。
【００２５】
なお、内筒１２の破砕中は例えば有害な粉塵が煙突内で舞うことも予想され、もってその粉塵に散水することにより、前記粉塵が外部に漏れるのを防止することにもなる。
このように、監視カメラ１８を本装置に搭載することにより、煙突１０の内部を確認しながら解体作業が行える。
【００２６】
以上において、本装置の動作につき説明すると、まず本装置をクレーン等により煙突１０の先端部まで吊り上げ、その先端開口から煙突１０の内筒１２内へ本装置を挿入する。
【００２７】
次いで、複数の嵌入部材５を拡げ、食い込み部１３を外筒１１と内筒１２の隙間に食い込ませる。
【００２８】
その状態から本装置を作動させ、食い込み部１３あるいは破砕部１５により内筒１２を破砕する。そして、内筒１３を破砕しつつ、嵌入部材５を装置本体１の中心軸方向に窄ませて内筒１３を解体し、煙突内部の下側に落下させていく。
【００２９】
なお、前記したように複数の嵌入部材５は装置本体１の中心軸を回転軸として回転できるため、リング状をなす内筒１２を満遍なく破砕、解体することが出来る。
【００３０】
まず、本装置が全て煙突１０先端の内部に入った状態で、保持部材１６を拡げ、煙突１０の外筒１１外周面に係止させ、本装置をクレーンで吊下しつつ煙突１０内に保持させる。このように保持部材１６で本装置を確実に保持することにより、嵌入部材５がぶれることなく確実に内筒１１を打撃、破砕出来ることとなる。
【００３１】
しかして、本装置を煙突１０内挿入後、本装置の作動を地上から遠隔操作することが出来、もってきわめて作業性、安全性が良好なものとなっている。
【００３２】
ここで、打撃、破砕された内筒１１は煙突１０の内部下方にたまり、これら内筒１１の解体材はバッックホウ等２１により外へ掻き出される（図６参照）。
【００３３】
なお、煙突１０における内筒１２の外径の違い、すなわち、煙突１０の大きさの違いに対しては長さの長いタイプの嵌入部材５や保持部材１６あるいは動作杆７に交換することにより対応することができ、従って吊り上げクレーンの届く高さの煙突１０であればほとんどのものに対応することができるものである。
【発明の効果】
かくして、本発明は以上の構成からなる。
【００３４】
そして、本発明による煙突内筒解体装置であれば、高所作業の低減が図れ、かつ解体廃棄物の分別が効率よく行え、さらに内筒のみを遠隔操作により解体できるなどから解体工期の大幅な短縮がなし得るとの優れた効果を奏する。
【図面の簡単な説明】
【図１】本発明による煙突内筒解体装置の構成を説明する説明図（その１）である。
【図２】本発明による煙突内筒解体装置の構成を説明する説明図（その２）である。
【図３】本発明による煙突内筒解体装置の構成を説明する説明図（その３）である。
【図４】本発明による煙突内筒解体装置の構成を説明する説明図（その４）である。
【図５】本発明による煙突内筒解体装置の使用状態を説明する説明図である。
【符号の説明】
１        装置本体
２        上面盤
３        下面盤
４        モータ
５        嵌入部材
６        取付片
７        動作杆
８        嵌入部材基部
９        揺動部
１０      煙突
１１      外筒
１２      内筒
１３      食い込み部
１４      伸縮杆
１５      破砕部
１６      保持部材
１７      散水ノズル
１８      監視カメラ
１９      ローラ
２０      リンク部材
２１      バックホウ等
２２      モータ側ギア
２３      下面盤側ギア
【図１】
2005016153.tif 000003
【図２】
2005016153.tif 000004
【図３】
2005016153.tif 000005
【図４】
2005016153.tif 000006
【図５】
2005016153.tif 000007